(57)【要約】【課題】後方からの漏れを確実に防止する。【解決手段】着用者の体液排出部Ｈに対応する領域より後側の領域に、生理用ナプキン１の略幅方向に沿って延びるとともに、後側に向けて膨出する形状で形成され、生理用ナプキン１の長手方向に間隔を空けて複数配置された幅方向圧搾溝１０、１０…と、生理用ナプキン１の略長手方向に沿って延びるとともに、前記幅方向圧搾溝１０から所定の離隔距離を空けて幅方向外側にそれぞれ配置された左右対の長手方向圧搾溝１１、１１とが設けられている。前記幅方向圧搾溝１０の溝幅及び長さはそれぞれ、相対的に生理用ナプキン１の後側に配置されたものの方が徐々に大きくなるように形成されている。【選択図】図１
2020028424.tif 000002
【特許請求の範囲】
【請求項１】
表面シートと裏面シートとの間に吸収体が介在された吸収性物品において、
着用者の体液排出部に対応する領域より後側の領域に、吸収性物品の略幅方向に沿って延びるとともに、後側に向けて膨出する形状で形成され、吸収性物品の長手方向に間隔を空けて複数配置された幅方向圧搾溝と、吸収性物品の略長手方向に沿って延びるとともに、前記幅方向圧搾溝から所定の離隔距離を空けた幅方向外側にそれぞれ配置された左右対の長手方向圧搾溝とが設けられていることを特徴とする吸収性物品。
【請求項２】
前記幅方向圧搾溝の溝幅は、相対的に吸収性物品の後側に配置されたものの方が徐々に大きくなるように形成されている請求項１記載の吸収性物品。
【請求項３】
前記幅方向圧搾溝の長さは、相対的に吸収性物品の後側に配置されたものの方が徐々に長くなるように形成されている請求項１、２いずれかに記載の吸収性物品。
【請求項４】
前記長手方向圧搾溝は、吸収性物品の幅方向外側に膨出する形状で形成されている請求項１〜３いずれかに記載の吸収性物品。
【請求項５】
前記幅方向圧搾溝と長手方向圧搾溝との前記離隔距離は、相対的に吸収性物品の後側に配置されたものの方が徐々に小さくなるように形成されている請求項１〜４いずれかに記載の吸収性物品。
【請求項６】
着用者の体液排出部に対応する領域を含む部位に、肌側に向けて増厚した吸収体の中高部が形成され、前記中高部の後端が、前記長手方向圧搾溝の前端より後側に位置している請求項１〜５いずれかに記載の吸収性物品。
【請求項７】
着用者の体液排出部に対応する領域を含む領域の両側部に、吸収性物品の略長手方向に沿って延びる左右対の中央長手方向圧搾溝が設けられ、前記中央長手方向圧搾溝の後端における左右の離隔距離が、前記長手方向圧搾溝の前端における左右の離隔距離より小さく形成されている請求項１〜６いずれかに記載の吸収性物品。
【発明の詳細な説明】
【技術分野】
【０００１】
本発明は、主には生理用ナプキン、おりものシート、失禁パッド、トイレタリー等の吸収性物品に係り、詳しくは肌当接面の後方部に非肌側に窪む圧搾溝が形成された吸収性物品に関する。
【背景技術】
【０００２】
従来より、前記吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
この種の吸収性物品にも幾多の改良が重ねられ、体液の漏れを防止するため、様々な形態の圧搾溝を形成したものが開発されている。例えば、下記特許文献１には、縦方向に延びる中心線から左右両側に離れた位置に、第１の可撓軸及び第２の可撓軸がそれぞれ間隔を空けて縦方向に延びて形成されるとともに、縦方向に間隔を空けて、第１の可撓軸間を繋ぐ一対の横向き可撓軸が形成された吸収性物品が開示されている。また、下記特許文献２には、長手方向に複数の後方圧搾溝を設けることが開示されている。
【先行技術文献】
【特許文献】
【０００４】
【特許文献１】特許第４１８０８６５号公報
【特許文献２】特許第５５４３８４７号公報
【発明の概要】
【発明が解決しようとする課題】
【０００５】
上記特許文献１、２に記載された吸収性物品では、圧搾溝が可撓軸となって身体の形状に沿って変形しやすくなると同時に、圧搾溝によって体液が塞き止められ、体液の拡散が抑制される効果も生じると考えられる。
【０００６】
しかしながら、上記特許文献１記載の吸収性物品では、縦方向に延びる第１の可撓軸と、この第１の可撓軸間を繋ぐ横向き可撓軸とで中央吸収部が囲まれているため、この中央吸収部に吸収されて飽和状態になった体液が、周囲の第１可撓軸及び横向き可撓軸の一部から溢れ出ることによって、溢れ出た部分で漏れが生じるおそれがあった。
【０００７】
また、上記特許文献２記載の吸収性物品では、後方部に、後側に向けて膨出する形状の後方圧搾溝が長手方向に間隔を空けて複数配置されているが、後方圧搾溝で塞き止められた体液が後方圧搾溝で囲まれた領域から両側部に溢れ出たとき、側方からの漏れが生じるおそれがあった。
【０００８】
このように、従来の吸収性物品では、特に後方からの漏れに対して必ずしも充分な対策が成されておらず、更なる改善の余地があった。
【０００９】
そこで本発明の主たる課題は、後方からの漏れを確実に防止した吸収性物品を提供することにある。
【課題を解決するための手段】
【００１０】
上記課題を解決するために請求項１に係る本発明として、表面シートと裏面シートとの間に吸収体が介在された吸収性物品において、
着用者の体液排出部に対応する領域より後側の領域に、吸収性物品の略幅方向に沿って延びるとともに、後側に向けて膨出する形状で形成され、吸収性物品の長手方向に間隔を空けて複数配置された幅方向圧搾溝と、吸収性物品の略長手方向に沿って延びるとともに、前記幅方向圧搾溝から所定の離隔距離を空けた幅方向外側にそれぞれ配置された左右対の長手方向圧搾溝とが設けられていることを特徴とする吸収性物品が提供される。
【００１１】
上記請求項１記載の発明では、着用者の体液排出部に対応する領域より後側の領域に、吸収性物品の略幅方向に沿って延びる幅方向圧搾溝と、吸収性物品の略長手方向に沿って延びる長手方向圧搾溝とがそれぞれ所定の形態で設けられている。前記幅方向圧搾溝は、後側に向けて膨出する形状で形成され、吸収性物品の長手方向に間隔を空けて複数配置されている。このため、後側に向けて拡散する体液を、複数の幅方向圧搾溝によって段階的に塞き止めて吸収体に吸収できるようになる。また、前記長手方向圧搾溝が前記幅方向圧搾溝から所定の離隔距離を空けた幅方向外側にそれぞれ配置されているため、前記幅方向圧搾溝によって塞き止められた体液が幅方向外側に拡散して、側方に漏れるのが防止できるとともに、前記幅方向圧搾溝と長手方向圧搾溝との間に離隔部が設けられているため、幅方向圧搾溝によって塞き止められ、この領域において飽和状態となった体液が、前記離隔部を通って後側に拡散することにより、更に後側の領域で体液が吸収できるようになっている。したがって、後方からの漏れが確実に防止できるようになる。
【００１２】
請求項２に係る本発明として、前記幅方向圧搾溝の溝幅は、相対的に吸収性物品の後側に配置されたものの方が徐々に大きくなるように形成されている請求項１記載の吸収性物品が提供される。
【００１３】
上記請求項２記載の発明では、吸収性物品の長手方向に間隔を空けて複数配置された幅方向圧搾溝のうち、相対的に吸収性物品の後側に配置されたものの方が徐々に溝幅が大きくなるように形成しているため、後側に配置された幅方向圧搾溝の方が体液の塞き止め効果が高くなり、体液の後漏れがより確実に防止できるようになる。
【００１４】
請求項３に係る本発明として、前記幅方向圧搾溝の長さは、相対的に吸収性物品の後側に配置されたものの方が徐々に長くなるように形成されている請求項１、２いずれかに記載の吸収性物品が提供される。
【００１５】
上記請求項３記載の発明では、吸収性物品の長手方向に間隔を空けて複数配置された幅方向圧搾溝のうち、相対的に吸収性物品の後側に配置されたものの方が徐々に長さが長くなるように形成しているため、後側に配置された幅方向圧搾溝の方が体液の塞き止め効果が高くなり、体液の後漏れがより確実に防止できるようになる。
【００１６】
請求項４に係る本発明として、前記長手方向圧搾溝は、吸収性物品の幅方向外側に膨出する形状で形成されている請求項１〜３いずれかに記載の吸収性物品が提供される。
【００１７】
上記請求項４記載の発明では、前記長手方向圧搾溝を吸収性物品の幅方向外側に膨出する形状で形成しているため、長手方向圧搾溝の内側に体液が保持されやすく、側部からの漏れがより確実に防止できるようになる。
【００１８】
請求項５に係る本発明として、前記幅方向圧搾溝と長手方向圧搾溝との前記離隔距離は、相対的に吸収性物品の後側に配置されたものの方が徐々に小さくなるように形成されている請求項１〜４いずれかに記載の吸収性物品が提供される。
【００１９】
上記請求項５記載の発明では、幅方向圧搾溝と長手方向圧搾溝との幅方向の離隔距離を、相対的に吸収性物品の後側に配置されたものの方が徐々に小さくなるように形成しているため、前側寄りに配置された幅方向圧搾溝では、長手方向圧搾溝との離隔部を通ってより多くの体液が後側に拡散でき、前側寄りに配置された幅方向圧搾溝で塞き止められた体液が溢れ出て側方に漏れるのが防止できるとともに、吸収体に吸収・保持されるのに伴い、後側に行くに従って徐々に拡散する体液の量が少なくなるのに合わせて、この離隔部が狭くなっているため、幅方向圧搾溝で塞き止められた体液を、この幅方向圧搾溝及び両側の長手方向圧搾溝で囲まれた領域でより確実に吸収体に吸収できるようになっている。
【００２０】
請求項６に係る本発明として、着用者の体液排出部に対応する領域を含む部位に、肌側に向けて増厚した吸収体の中高部が形成され、前記中高部の後端が、前記長手方向圧搾溝の前端より後側に位置している請求項１〜５いずれかに記載の吸収性物品が提供される。
【００２１】
上記請求項６記載の発明では、着用者の体液排出部に対応する領域を含む部位に中高部が形成され、この中高部の後端を、前記長手方向圧搾溝の前端より後側に位置させているため、中高部に吸収された体液が、中高部の後端から、両側部に長手方向圧搾溝が配置された領域内に拡散し、前記長手方向圧搾溝及び幅方向圧搾溝によって体液の漏れを防止しつつ確実に吸収体に吸収されやすくなる。
【００２２】
請求項７に係る本発明として、着用者の体液排出部に対応する領域を含む領域の両側部に、吸収性物品の略長手方向に沿って延びる左右対の中央長手方向圧搾溝が設けられ、前記中央長手方向圧搾溝の後端における左右の離隔距離が、前記長手方向圧搾溝の前端における左右の離隔距離より小さく形成されている請求項１〜６いずれかに記載の吸収性物品が提供される。
【００２３】
上記請求項７記載の発明では、着用者の体液排出部に対応する領域を含む領域の両側部に左右対の中央長手方向圧搾溝を設けた場合において、前記中央長手方向圧搾溝に沿って後側に拡散する体液による漏れを防止するため、前記中央長手方向圧搾溝の後端における左右の離隔距離を、前記長手方向圧搾溝の前端における左右の離隔距離より小さく形成している。これによって、中央長手方向圧搾溝に沿って後側に拡散した体液が、両側部に長手方向圧搾溝が配置された領域内に拡散し、前記長手方向圧搾溝及び幅方向圧搾溝によって体液の漏れを防止しつつ確実に吸収体に吸収されやすくなる。
【発明の効果】
【００２４】
以上詳説のとおり本発明によれば、後方からの漏れを確実に防止した吸収性物品が提供できるようになる。
【図面の簡単な説明】
【００２５】
【図１】本発明に係る生理用ナプキン１の一部破断展開図である。
【図２】図１のII−II線矢視図である。
【図３】図１のIII−III線矢視図である。
【図４】体液の拡散状態を示す生理用ナプキン１の展開図である。
【図５】他の形態例に係る後側の圧搾溝を示す平面図（その１）である。
【図６】他の形態例に係る後側の圧搾溝を示す平面図（その２）である。
【発明を実施するための形態】
【００２６】
以下、本発明の実施の形態について図面を参照しながら詳述する。
【００２７】
〔生理用ナプキン１の基本構造〕
本発明に係る生理用ナプキン１は、図１〜図３に示されるように、ポリエチレンシートなどからなる不透液性裏面シート２と、経血やおりものなど（以下、まとめて体液ともいう。）を速やかに透過させる透液性表面シート３と、これら両シート２，３間に介装された綿状パルプまたは合成パルプなどからなる吸収体４と、肌当接面側の両側部に長手方向のほぼ全長に亘って設けられるとともに、前記吸収体４の略側縁部を起立基端とし、かつ少なくとも着用者の体液排出部Ｈに対応する領域を含むナプキン長手方向の所定の区間内において肌側に突出して設けられた左右一対の立体ギャザーＢＳ、ＢＳを形成するサイド不織布７、７とを備え、かつ前記吸収体４の周囲においては、その上下端縁部では前記不透液性裏面シート２と透液性表面シート３との外縁部がホットメルトなどの接着剤やヒートシール、超音波シール等の接合手段によって接合され、またその両側縁部では吸収体４よりも側方に延出している前記不透液性裏面シート２と前記サイド不織布７とがホットメルトなどの接着剤やヒートシール、超音波シール等の接合手段によって接合され、ほぼ体液排出部Ｈに相当する吸収体側部位置に左右一対のウイング状フラップＷ、Ｗが形成されるとともに、これより後部側（臀部側）の後部両側部にそれぞれ外方に延出する後部フラップＷＢ、ＷＢが形成されたものである。なお、図示例では、前記吸収体４の形状保持および拡散性向上のために、前記吸収体４をクレープ紙又は不織布などからなる被包シート５で囲繞しているが、この被包シート５は設けなくてもよい。また、図示しないが、前記透液性表面シート３の非肌側に隣接して、前記透液性表面シート３とほぼ同形状の親水性の不織布などからなるセカンドシートを配設してもよい。
【００２８】
以下、さらに前記生理用ナプキン１の構造について詳述すると、
前記不透液性裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非肌側面（外面）にはナプキン長手方向に沿って１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００２９】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記透液性表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００３０】
前記不透液性裏面シート２と透液性表面シート３との間に介在される吸収体４は、たとえば綿状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４の目付は、３００〜７５０ｇ／ｍ２、好ましくは３００〜４００ｇ／ｍ２とするのがよい。
【００３１】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３２】
前記吸収体４の肌当接面側には、幅方向中央部であって、着用者の体液排出部Ｈに対応する領域を含む部位に、ナプキン長手方向に細長く、肌側に向けて増厚した吸収体の中高部６が備えられている。前記中高部６は、概ね着用者の体液排出部Ｈから臀部溝の開始位置にかけての部位を覆うように設けられ、ウイング状フラップＷから後部フラップＷＢの中間部までの長手区間に設けられている。前記中高部６は、吸収体４との一体的な積繊によって形成してもよいし、別々に積繊したものを積層してもよい。この中高部６の厚みは、厚くし過ぎると吸収体４の剛性が上がり身体への密着性が低下するため、３〜２０ｍｍ、好ましくは５〜１５ｍｍとするのが好ましい。なお、前記吸収体４を被包シート５で囲繞する場合、図２に示されるように、前記吸収体４と中高部６を一体的に被包してもよいし、図示しないが、吸収体４及び中高部６をそれぞれ別々に被包シートで囲繞した後積層してもよい。
【００３３】
一方、前記透液性表面シート３の幅寸法は、図示例では、図２及び図３の横断面図に示されるように、吸収体４の幅寸法よりも若干長めとされ、吸収体４を覆うだけに止まり、それより外方側は前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されたサイド不織布７が配設されている。
【００３４】
かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３５】
前記サイド不織布７は、図２及び図３に示されるように、幅方向中間部より外側部分を所定の内側位置から不透液性裏面シート２の外縁までの範囲に亘ってホットメルトなどの接着剤によって接着し、所定の位置に所定のフラップ部が形成されている。このフラップ部は、ほぼ体液排出部Ｈに対応する部分の両側部に左右一対のウイング状フラップＷ、Ｗを形成するとともに、これより後部側（臀部側）の後部両側部に後部フラップＷＢ、ＷＢを形成している。これらウイング状フラップＷ、Ｗおよび後部フラップＷＢ、ＷＢの外面側（不透液性裏面シート２側）にはそれぞれ粘着剤層（図示せず）が備えられ、ショーツに対する装着時に、前記ウイング状フラップＷ、Ｗを基端部の折返し線ＲＬ位置にて反対側に折り返し、ショーツのクロッチ部分に巻き付けて止着するとともに、前記後部フラップＷＢをショーツの内面に止着するようになっている。
【００３６】
一方、前記サイド不織布７の内方側部分はほぼ二重に折り返されるとともに、この二重シート内部に、その高さ方向中間部に両端または長手方向の適宜の位置が固定された１又は複数本の、図示例では３本の糸状弾性伸縮部材９、９…が両端または長手方向の適宜の位置が固定された状態で配設されている。この二重シート部分は前後端部では図３に示されるように、外側に１回折り返して積層された状態で吸収体４側に接着されることによって、少なくとも体液排出部Ｈを含むナプキン長手方向の所定の区間内において、図２に示されるように、外側に傾斜しながら肌側に起立する直線状の立体ギャザーＢＳ、ＢＳが左右一対で形成されている。
【００３７】
〔圧搾溝〕
本生理用ナプキン１には、所定の領域に、透液性表面シート３の肌側から非肌側に向けて窪ませた圧搾溝が形成されている。前記圧搾溝は、吸収体４の肌側面に透液性表面シート３を積層した状態で、前記透液性表面シート３の外面側からの圧搾により、前記透液性表面シート３から吸収体４にかけて一体的に非肌側に窪ませることにより形成したものである。前記圧搾溝は、両側のサイド不織布７、７間の透液性表面シート３が肌側に露出する幅方向範囲内であって、両側のサイド不織布７、７に達しない幅方向中央領域に形成されている。以下、この圧搾溝について詳細に説明する。
【００３８】
本生理用ナプキン１では、着用者の体液排出部Ｈに対応する領域より後側の領域に、生理用ナプキン１の略幅方向に沿って延びるとともに、後側に向けて膨出する形状で形成され、生理用ナプキン１の長手方向に間隔を空けて複数配置された幅方向圧搾溝１０、１０…と、生理用ナプキン１の略長手方向に沿って延びるとともに、前記幅方向圧搾溝１０…から所定の離隔距離を空けて幅方向外側にそれぞれ配置された左右対の長手方向圧搾溝１１、１１とが設けられている。
【００３９】
本生理用ナプキン１では、前記幅方向圧搾溝１０…及び長手方向圧搾溝１１…を設けることにより、次の効果を奏する。前記幅方向圧搾溝が後側に向けて膨出する形状で形成され、生理用ナプキン１の長手方向に間隔を空けて複数配置されているため、図４に示されるように、後側に向けて拡散する体液を、複数の幅方向圧搾溝１０、１０…によって段階的に塞き止めて吸収体４に吸収できるようになる。したがって体液の吸収効率が向上でき、後漏れが防止できる。
【００４０】
また、前記長手方向圧搾溝１１、１１が前記幅方向圧搾溝１０から所定の離隔距離を空けた幅方向外側にそれぞれ配置されているため、前記幅方向圧搾溝１０によって塞き止められた体液が幅方向外側に拡散して、側方に漏れるのが防止できるとともに、前記幅方向圧搾溝１０と長手方向圧搾溝１１との間に幅方向に離隔した離隔部が設けられているため、前記幅方向圧搾溝１０によって塞き止められ、この領域において飽和状態となった体液が、前記離隔部を通って後側に拡散することにより、更に後側の領域で体液が吸収できるようになっている。したがって、後方からの漏れが確実に防止できるようになる。
【００４１】
前記幅方向圧搾溝１０は、前記中高部６より後側の領域であって、両側に後部フラップＷＢ、ＷＢが形成された長手区間内の幅方向中央部に形成されている。前記幅方向圧搾溝１０は、生理用ナプキン１の略幅方向に沿って延びるとともに、生理用ナプキン１の長手方向中心線ＣＬを境に左右対称の形状で形成されている。すなわち、幅方向圧搾溝１０の両端を結ぶ直線が生理用ナプキン１の長手方向中心線ＣＬと直交する幅方向線とほぼ一致する形状で形成されている。
【００４２】
前記幅方向圧搾溝１０は、生理用ナプキン１の長手方向に間隔を空けて複数配置され、好ましくは２個〜５個、図示例では前側から順に１０Ａ〜１０Ｃの３個配置されている。幅方向圧搾溝１０を複数配置することにより、後方に流れる体液を段階的に塞き止めることができ、後方部における体液の漏れを確実に防止することができるようになる。
【００４３】
前記幅方向圧搾溝１０、１０のピッチ（隣り合う幅方向圧搾溝１０、１０の端縁同士の生理用ナプキン１の長手方向の長さ）は任意であるが、図１に示されるように、前側２個の１０Ａ、１０Ｂ間のピッチＰABより、後側２個の１０Ｂ、１０Ｃ間のピッチＰBCの方が大きくなるように配置するのが好ましい（ＰAB＜ＰBC）。前側寄りの方が体液量が多いため、ピッチを小さくすることにより、幅方向圧搾溝１０で塞き止められた体液が一時的に貯留されやすくすることにより、吸収体により素早く保持されるようにしている。前側の１０Ａ、１０Ｂ間のピッチＰABとしては、３０〜４０ｍｍが好ましく、後側の１０Ｂ、１０Ｃ間のピッチＰBCとしては、３５〜４５ｍｍが好ましい。また、これらのピッチの差（ＰBC−ＰAB）としては、５〜１５ｍｍが好ましい。
【００４４】
前記幅方向圧搾溝１０の平面形状は、幅方向圧搾溝１０の両端を結ぶ直線と幅方向圧搾溝１０との間に圧搾されない領域が形成される程度に後側に向けて膨出する形状で形成するのが好ましく、生理用ナプキン１の後側に向けて膨出する円弧、楕円弧、三日月形、折れ線などによって形成することができる。生理用ナプキン１の長手方向に間隔を空けて複数配置された幅方向圧搾溝１０、１０…は、全て同じ形状で形成する必要はなく、図示例のように、前側の２個１０Ａ、１０Ｂを円弧で形成し、最後部の１個１０Ｃを三日月形で形成するなど、異なる形状で形成してもよい。
【００４５】
図１に示されるように、各幅方向圧搾溝１０Ａ〜１０Ｃの両端を結ぶ直線と、当該幅方向圧搾溝１０Ａ〜１０Ｃの後端までの生理用ナプキン１の長手方向に沿う長さＭＡ〜ＭＣは、後側に配置されたものの方が徐々に大きくなる形状で形成するのが好ましい。すなわち、ＭＡ＜ＭＢ＜ＭＣとするのが好ましい。これにより、前側に配置された幅方向圧搾溝１０の方が前側からより多くの体液が拡散してくるため、幅方向圧搾溝１０で塞き止めて一時的に貯留できる体液の量を小さくし、両側の長手方向圧搾溝１１との離隔部を通じて後側により多くの体液を流すことにより、この領域で塞き止められた体液が漏れるのを防止するとともに、後側に配置された幅方向圧搾溝１０では、後端からの漏れを防止するため、より多くの体液を塞き止めることが可能な形状で形成している。最前部の幅方向圧搾溝１０Ａの前記長さＭＡとしては７〜１２ｍｍが好ましく、中間部の幅方向圧搾溝１０Ｂの前記長さＭＢとしては１２〜１７ｍｍが好ましく、最後部の幅方向圧搾溝１０Ｃの前記長さＭＣとしては２０〜２５ｍｍが好ましい。また、最前部の幅方向圧搾溝１０Ａの前記長さＭＡに対する前記長さＭＢ、ＭＣの比としては、ＭＢが１．２〜１．７、ＭＣが２．０〜２．５とするのがよい。
【００４６】
前記幅方向圧搾溝１０の溝幅は、相対的に生理用ナプキン１の後側に配置されたものの方が徐々に大きくなるように形成するのが好ましい。圧搾溝では、溝幅を大きくした方が、溝内を体液が通り抜けしにくくなるため、体液の塞き止め効果が高くなる。したがって、後側に配置された幅方向圧搾溝１０の方が体液の塞き止め効果が高くなり、体液の後漏れがより確実に防止できるようになる。前記溝幅は、溝長手方向の中心線に直交する両側壁間の長さであり、前側２個の幅方向圧搾溝１０Ａ、１０Ｂのように全長に亘ってほぼ等幅に形成されたものでは、任意の中間位置における溝幅を用いることができ、最後部の幅方向圧搾溝１０Ｃのように三日月形に形成され溝幅が場所によって変化するものでは、全長に亘る平均の溝幅を用いることができる。最前部の幅方向圧搾溝１０Ａの溝幅としては１．０〜３．０ｍｍが好ましく、中間部の幅方向圧搾溝１０Ｂの溝幅としては１．５〜３．５ｍｍが好ましく、最後部の幅方向圧搾溝１０Ｃの溝幅としては５．０〜９．０ｍｍが好ましい。また、最前部の幅方向圧搾溝１０Ａの溝幅に対する中間部の幅方向圧搾溝１０Ｂの溝幅の比及び最後部の幅方向圧搾溝１０Ｃの溝幅の比としては、中間部の幅方向圧搾溝１０Ｂの溝幅の比が１．１〜１．４、最後部の溝幅の比が３．０〜４．０とするのがよい。
【００４７】
前記幅方向圧搾溝１０の生理用ナプキン１の幅方向に沿う長さは、相対的に生理用ナプキン１の後側に配置されたものの方が徐々に長くなるように形成するのが好ましい。すなわち、最前部の幅方向圧搾溝１０Ａの長さＬＡ、中間部の幅方向圧搾溝１０Ｂの長さＬＢ、最後部の幅方向圧搾溝１０Ｃの長さＬＣは、ＬＡ＜ＬＢ＜ＬＣの関係を有するように形成するのが好ましい。ナプキン幅方向に沿う長さを長くした方が、後側に流れる体液を多く塞き止めることが可能となるため、後側に配置された幅方向圧搾溝１０の方が体液の塞き止め効果が高くなり、体液の後漏れがより確実に防止できるようになる。最前部の幅方向圧搾溝１０Ａの長さＬＡとしては３０〜３５ｍｍが好ましく、中間部の幅方向圧搾溝１０Ｂの長さＬＢとしては３７〜４２ｍｍが好ましく、最後部の幅方向圧搾溝１０Ｃの長さＬＣとしては４０〜４５ｍｍが好ましい。また、最前部の幅方向圧搾溝１０Ａの長さＬＡに対する中間部の幅方向圧搾溝１０Ｂの長さＬＢの比及び最後部の幅方向圧搾溝１０Ｃの長さＬＣの比としては、中間部の幅方向圧搾溝１０Ｂの長さＬＢの比が１．１〜１．４、最後部の長さＬＣの比が１．２〜１．５とするのがよい。
【００４８】
次に、前記長手方向圧搾溝１１は、両側部に後部フラップＷＢ、ＷＢが形成された長手区間内であって、前記幅方向圧搾溝１０、１０…が形成された区間を含む長手区間において、生理用ナプキン１の略長手方向に沿って連続して延びるように形成されている。前記長手方向圧搾溝１１は、前端と後端とを結ぶ直線が、生理用ナプキン１の略長手方向に沿って延びており、この直線と生理用ナプキン１の長手方向中心線ＣＬとの成す角は０〜±４５°の範囲内で形成するのが好ましい。これにより、長手方向圧搾溝１１より幅方向外側に体液が拡散するのが抑制され、後方における横漏れが確実に防止できるようになる。
【００４９】
前記長手方向圧搾溝１１は、前記幅方向圧搾溝１０の側縁から所定の離隔距離を空けた幅方向両側にそれぞれ配置され、生理用ナプキン１の長手方向中心線ＣＬを中心として左右対称に形成されている。すなわち、前記長手方向圧搾溝１１は、幅方向圧搾溝１０と接続せず、長手方向圧搾溝１１と幅方向圧搾溝１０との間に圧搾していない非圧搾部が介在している。これによって、前記幅方向圧搾溝１０及び両側の長手方向圧搾溝１１、１１で囲まれた領域に体液が滞留することなく、前記幅方向圧搾溝１０と長手方向圧搾溝１１との間の非圧搾部を通って後側に体液が拡散できるようになっている。このため、所定の領域に滞留した体液が圧搾溝を越えて溢れ出ることによって生じる漏れが防止できる。
【００５０】
前記幅方向圧搾溝１０と長手方向圧搾溝１１との生理用ナプキン１の幅方向に沿った離隔距離は任意であるが、図１に示されるように、相対的に後側に配置されたものの方が徐々に小さくなるように形成するのが好ましい。すなわち、最前部の幅方向圧搾溝１０Ａと長手方向圧搾溝１１との離隔距離をＳＡ、中間部の幅方向圧搾溝１０Ｂと長手方向圧搾溝１１との離隔距離をＳＢ、最後部の幅方向圧搾溝１０Ｃと長手方向圧搾溝１１との離隔距離をＳＣとすると、ＳＡ＞ＳＢ＞ＳＣとするのが好ましい。これにより、この離隔部分の非圧搾部を通って後側に拡散する体液の量が徐々に少なくなり、後側からの漏れがより確実に防止できるようになる。前記離隔距離は、２．０〜１０．０ｍｍの範囲内で任意に設定できる。また、最前部の離隔距離ＳＡに対する中間部の離隔距離ＳＢの比及び最後部の離隔距離ＳＣの比はそれぞれ、０．７２〜０．７７、０．４０〜０．４５とするのが好ましい。
【００５１】
前記長手方向圧搾溝１１の平面形状は任意であるが、図１に示されるように、生理用ナプキン１の幅方向外側に膨出する円弧又は楕円弧で形成するのが好ましい。幅方向外側に膨出する平面形状で形成することにより、長手方向圧搾溝１１の内側に体液が保持されやすく、側部からの漏れがより確実に防止できる。
【００５２】
前記長手方向圧搾溝１１の溝幅は、前記幅方向圧搾溝１０の溝幅と比べて同等以下でもよいし、大きくしてもよい。好ましくは、側方からの漏れをより確実に防止するため、中間部の幅方向圧搾溝１０Ｂの溝幅とほぼ同等に形成するのが好ましい。
【００５３】
前記長手方向圧搾溝１１は、前端が前記中高部６の後端部と幅方向に重なる位置まで延びている。すなわち、前記中高部６の後端は、長手方向圧搾溝１１の前端より後側に位置している。前記長手方向圧搾溝１１は、中高部６より幅方向外側に離隔した位置にそれぞれ配置されている。これによって、中高部６に吸収された体液が、中高部６の後端から、両側に長手方向圧搾溝１１、１１が配置された領域に拡散されるため、長手方向圧搾溝１１、１１及び幅方向圧搾溝１０によって体液が確実に吸収体２に吸収されるようになる。図１に示されるように、前記中高部６と長手方向圧搾溝１１とのナプキン幅方向の重なり部分の長さＵは、体液が中高部６から長手方向圧搾溝１１、１１で挟まれた領域内に効率よく拡散できるように、５．０〜１０．０ｍｍ、好ましくは７．０〜８．０ｍｍとするのがよい。
【００５４】
図１に示されるように、本生理用ナプキン１には、着用者の体液排出部Ｈに対応する領域を含む領域の両側部に、生理用ナプキン１の略長手方向に沿って延びる左右対の中央長手方向圧搾溝１２、１２が設けられている。前記中央長手方向圧搾溝１２、１２は、前記中高部６の両側に、中高部６の側縁にほぼ沿うように形成されている。前記中央長手方向圧搾溝１２の前端は、前記中高部６の前端とほぼ同じ位置に設けられ、後端は、前記中高部６の後端より前側であって、前記長手方向圧搾溝１１、１１の前端より前側に離隔した位置に配置されている。なお、中央長手方向圧搾溝１２の後端が前記長手方向圧搾溝１１の前端とナプキン長手方向に対してほぼ一致する位置又は後側に配置されるようにしてもよい。この場合、中央長手方向圧搾溝１２、１２の後部は、長手方向圧搾溝１１、１１よりナプキン幅方向の中央側に離隔した位置に設けるのが好ましい。
【００５５】
前記中央長手方向圧搾溝１２の後端における左右の離隔距離Ｘ12は、前記長手方向圧搾溝１１の前端における左右の離隔距離Ｘ11より小さく形成するのが好ましい（Ｘ12＜Ｘ11）。これによって、中央長手方向圧搾溝１２に沿って後側に拡散した体液が、長手方向圧搾溝１１、１１で挟まれた領域に拡散しやすくなり、前記長手方向圧搾溝１１、１１及び幅方向圧搾溝１０によって体液が確実に吸収体４に吸収され、側方からの漏れが防止できる。前記離隔距離の差（Ｘ11−Ｘ12）としては、１０．０〜１５．０ｍｍとするのが好ましい。
【００５６】
前記中央長手方向圧搾溝１２の後端は、生理用ナプキン１の長手方向中心線ＣＬ側に向けて屈曲し、中央長手方向圧搾溝１２の後端から延長した直線が、前記長手方向圧搾溝１１、１１の前端における左右の離隔部に向けて延びるように形成するのが好ましい。これによって、中央長手方向圧搾溝１２に沿って後側に拡散した体液が、長手方向圧搾溝１１、１１で挟まれた領域に拡散しやすくなる。
【００５７】
図１に示される生理用ナプキン１では、前側からの漏れを防止するため、前記中央長手方向圧搾溝１２の前側に離隔して、平面視略Ω形の第１前側圧搾溝１３が形成されるとともに、前記第１前側圧搾溝１３の前側に離隔して、平面視略三日月形の第２前側圧搾溝１４が形成されている。
【００５８】
〔他の形態例〕
(1)上記形態例では、前記長手方向圧搾溝１１は、左右にそれぞれ１条ずつ設けていたが、図５に示されるように、左右にそれぞれ複数条ずつ、図示例では２条ずつ設けてもよい。長手方向圧搾溝１１を複数条ずつ設けることにより、後方における側部からの漏れがより確実に防止できるようになる。
【００５９】
(2)上記形態例では、左右の長手方向圧搾溝１１、１１の後端を左右に離隔して形成したが、図６に示されるように、左右の長手方向圧搾溝１１、１１の後端同士を連結する連結圧搾溝１５を設けることにより、左右の長手方向圧搾溝１１、１１の後端が連続するようにしてもよい。左右の長手方向圧搾溝１１、１１の後端を連続させることにより、長手方向圧搾溝１１、１１及び連結圧搾溝１５で囲まれた領域内で体液を吸収・保持することができるので、体液の後漏れがより確実に防止できるようになる。
【符号の説明】
【００６０】
１…生理用ナプキン、２…不透液性裏面シート、３…透液性表面シート、４…吸収体、５…被包シート、６…中高部、７…サイド不織布、９…糸状弾性伸縮部材、１０・１０Ａ・１０Ｂ・１０Ｃ…幅方向圧搾溝、１１…長手方向圧搾溝、１２…中央長手方向圧搾溝
【図１】
2020028424.tif 000003
【図２】
2020028424.tif 000004
【図３】
2020028424.tif 000005
【図４】
2020028424.tif 000006
【図５】
2020028424.tif 000007
【図６】
2020028424.tif 000008